Podtech/llm-jp-corpus-v4-ja_patent huggingface dataset:
(57)【要約】【課題】  機械部品の部分的塗装に際して成すマスキングの方法に関して、遮蔽板の配置方式においては、機械部品の分厚い塗装、もしくは複数部品の塗装に際して時間が経過すると、遮蔽板表面の乾きが次第に悪化してきて、そこから二次的に飛散するために、遮蔽板を頻繁に更新する必要があることに対処して、長時間の使用に耐える方法を得る。【解決手段】  遮蔽板を適当な形状と成し、適当な周速度で回転させて、表面の乾固化を助長する。【選択図】      図１
2006116516.tif 000002
【特許請求の範囲】
【請求項１】
駆動源に連係させた第一回転軸（１）の先端部に機械部品（３）を装着する冶具（２）を取り付け、軸を垂直方向に配し、直上の適所に配置したレールに副って、駆動源と連係し共に移動するリフト（４）に固定して懸架させたリフトロッド（５）下部に駆動源と連係した第二回転軸（６）を水平に配してマスキングディスク（７）を取り付け、第一回転軸（１）と隣接した適所に、駆動源と連係し、それと平行に配置した第三回転軸（８）に中心部を固着したマスキングパン（９）を取り付け、スプレーガン（１０）の作動時に、マスキングディスク（７）とマスキングパン（９）を適当な周速度で回転させ続けることを特徴とする機械部品塗装のマスキング装置。
【発明の詳細な説明】
【発明の詳細な説明】
【技術分野】
【０００１】  この発明は、一連ものの機械部品を塗装するに際して、塗装を要しない部分に対する塗料スプレーからの遮蔽方法と装置に関する。
【背景技術】
【０００２】  従来は、当該機械部品の塗装に際してプレートを利用して遮蔽の用に供するのが常であって、部品中間部の塗装には二枚のプレートを上下に配したり、プレートに窓を開ける状態と成し、機械部品を回転させ、窓を通して塗料を散布する方法などが一般的に用いられていた。
【発明が解決しようとする課題】
【０００３】  従来の方法にあっては、塗料を散布する時間が経過すると、マスク側プレート表面の液状化が進行し、塗料のスプレーに伴う風圧によって製品側に飛散する問題点が生じないよう用心のために事前に取り替えることも加味して、頻繁に更新する必要があった。
【０００４】  この発明は、被塗装の機械部品を適当する速度で回転しつつ塗料を散布すると、数十乃至数百ミクロンの必要塗装厚に対して、数パーセント以下の誤差の範囲で塗装が出来、かつ、適当な周速度で回転する間に蒸発乾固が進捗して塗装面の液状化の進行が抑制され、塗料の二次的飛散がほとんど認められなくなる点を利用した塗装マスキング装置の提供を目的としている。
【課題を解決するための手段】
【０００５】  上記目的を達成するために、この発明のマスキング装置においては、一例として、一連もの部品の非塗装境界となる上部のマスキングには、駆動部と連係して水平に配した回転軸に、直角に遮蔽円盤を取り付け、この半径は部品非塗装部の長さ以上と成し、かつ、駆動部と共に上下に調節移動して固定できる構成にしている。
【０００６】  下部のマスキングには、駆動部と連係して垂直に配した回転軸に直角に円盤を配し、その円周に沿って適当な長さの円筒を配し、その上縁をマスキングの境界に近接させて配する。
【０００７】  塗料の散布に際して、部品に斜面がある場合には、それに対応した散布角度に調節し、その際にマスク表面の出張りが散布のシャドウを形成しないように円盤の反面を適当に薄く工作するのが好ましい。
【発明を実施するための最良の形態】
【０００８】  発明の実施の形態を実施例にもとずき図面を参照して説明する。
図１において、駆動源と連係させ垂直に配した回転軸１の先端部に、被塗装部品を装着する冶具２を取り付け、これらの上部適所に配したレールに副って、連係した駆動源と共に水平移動し適所に停止させるリフト４を設けている。此処から部品３に向かって垂下させたリフトロッド５に、駆動源に連係した第二回転軸６が水平になるように配し、マスキングディスク７をその中心部で取り付けている。【０００９】  マスキングディスク７の円周近辺の裏面は、被塗装部品の一部に斜面がある場合に適当に薄く工作している。傾斜に応じて散布を傾斜させると、円盤の厚みの出張りが放射のシャドウを形成する場合があって好ましくない。【００１０】  回転軸１近辺の適所にこれと平行に、駆動源と連係させた第二回転軸８を配し、この軸に中心部を取り付けた円盤の周に沿って円筒を固着したマスキングパン９を設け、この盤面がマスキングディスク７の盤面と直角を成し、かつ、機械部品３の塗装境界に円筒部の上縁が近接するように配する。【００１１】  エアー源に連通し、塗料を散布する複数のスプレーガン１０をマスキングパン９上の適所に配して、これらの散布時に、機械部品３、マスキングディスク７、並びにマスキングパン９をほぼ同程度の周速度で回転させる。
【図面の簡単な説明】
【図１】  機械部品塗装のマスキング装置の側面図である。
【符合の説明】
１      第一回転軸
２      冶具
３      機械部品
４      リフト
５      リフトロッド
６      第二回転軸
７      マスキングディスク
８      第三回転軸
９      マスキングパン
１０      スプレーガン
【図１】
2006116516.tif 000003
(57)【要約】【課題】  アロエ抽出物をフイルターに使用する技術の開発。【解決手段】  アロエの有効成分を溶媒抽出し、その溶媒をゼオライトなどの吸着材に吸収させ、その吸着材をフイルターに添加する。【選択図】  図１
2006116515.tif 000002
【特許請求の範囲】
【請求項１】
アロエ属植物の根、葉肉、枝などを溶媒で浸出し、その浸出液をゼオライト、炭酸カルシウム、活性炭などに吸着させた、アロエから抽出した成分を含むフイルター。
【発明の詳細な説明】
【技術分野】
【０００１】  本発明はガス状の有害物質を除去するフイルターに関するもので、国際特許分類Ｂ０１Ｄを主分類とするフイルターである。
【背景技術】
【０００２】  ガス状の有害物除去には活性炭、ゼオライトなどが使用されているが、アロエを利用したしたフイルターは無く、その特異な吸着作用が技術的背景である。
【発明の開示】
【発明が解決しようとする課題】
【０００３】  アロエの成分であるアロイン、アロエエモジン、サリチル酸化合物、多糖類、有機酸などが強力な有害物質吸着、変性作用があることを発見したので、その有益な用途を開発すること。
【課題を解決するための手段】
【０００４】  アロエの根、葉肉、幹、枝などを超臨界炭酸抽出法、溶媒抽出法などで処理して有害物質吸着成分を抽出し、その抽出成分をゼオライト、炭酸カルシウム、活性炭などに吸着させ、必要あれば顆粒としてフイルター内に分散させること。
【発明の効果】
【０００５】  本発明は、アロエ抽出物質に強力な有害ガス吸着能力、変性能力があることを発見したことが基礎技術であり、一酸化炭素、酸化窒素などを吸着する。
【発明を実施するための最良の形態】
【０００６】  以下、本発明の実施形態について説明する。
（イ）  キダチアロエの葉１００ｇをとりエチルアルコール３００ｇに混入する。
混入後適当に撹拌しつつ２時間放置し、この混合物液を濾過してエチルアルコールに移行したアロエ成分を容器に採取する。
（ロ）  この濾過したアロエ成分を含むエチルアルコール液２５０ｇをゼオライト３００ｇに混和し、減圧乾燥機でエチルアルコールを蒸発ささせ粉末、粒状のアロエ成分含有ゼオライトを製造する。
（ハ）  このアロエ成分含有ゼオライトをフイルター中に分散させる。
（ニ）  フイルターは、応用分野が広く工業的にはガラス繊維、炭素繊維、濾過用セルローズ、煙草フイルターなど多種類であるが、フイルターの重量に対し、ほぼ５％乃至０、３％のアロエ含有ゼオライトで有効な有害ガス吸着能力をゆうする。
（ホ）  図１は、キップの装置を用いたアロエ含有ゼオライトの吸着能力試験機構である。
（ヘ）  この装置で硫化鉄に塩酸を加え、発生した硫化水素をパイプ状アロエ成分含有ゼオライト層を通過させた成績では重量比で１０％以上の成績がえられた。
【図面の簡単な説明】
【０００７】
【図１】  本発明の実施例
【符号の説明】
【０００８】  １  キップの装置
２  パイプ
３  セルローズフイルター
４  アロエ含有ゼオライト層
５  吸引孔
【図１】
2006116515.tif 000003
(57)【要約】【課題】  桜皮の天然素材における物理的性質に逆らうことなく、桜皮の性状を最大限に引き出せる肉厚と、内張下地材の最適要件との組合わせによる外郭構成部材により、そのバッグ本体における各外郭構成部材の端部の始末が簡単で、しかも、堅牢な伝統工芸の趣のあるバッグを提供することにある。【解決手段】  表面材としての桜皮８と、桜皮８に接着される内張下地材としての牛皮６とで外郭構成部材５が形成され、このものを所要に寸法取りしてバッグ本体１の周部３と底部４とを形成する。桜皮８は厚さ0.4乃至0.2mmに研磨仕上げされ、牛皮６は肉厚1mmのものが良しとされる。【選択図】  図２
2006116126.tif 000002
【特許請求の範囲】
【請求項１】
表面材と、該表面材に接着された内張下地材とから成る所要の形状寸法の外郭構成部材で形成されて成るバッグにおいて、
各外郭構成部材は内張下地材を柔軟性と非伸縮性とを共有する厚さ1mmの素材から成り、表面材は厚さ0.4乃至0.2mmに研磨仕上げされ、節目を横方向に配列された桜皮から成るバッグ。
【請求項２】
表面材として桜皮に、その節目の陥没部が肉盛り接着状態で漆の塗膜層で被覆されて成る請求項１記載のバッグ。
【発明の詳細な説明】
【技術分野】
【０００１】
本発明は、表面材に桜皮を使用したバッグに関する。
【背景技術】
【０００２】
籃胎漆器の技術を応用したバッグが、特開平０６−２０９８１３号公報（特許文献１）に提案されている。このバッグは竹の薄細片を薄く編成した基材を装飾部材とするもので、基材の表面には漆又は合成漆による塗装層が形成されている。
このような装飾部材は、竹の編成とバッグ本体の各構成部の端部の始末に手間が掛かる。加えて、表面に形成される塗装層も編み目の段差を埋めるために下地を必要とするなど手間を要する。
一方、和装着物に似合うバッグとして桜皮を使用したものが印伝バッグ（商品名）として提供されている。このものは、バッグ本体の表面に桜皮を節目を縦方向に使用しているので、桜皮の自然の木立における物理的特性と異なる態様で使用されることになる。したがって、両コーナー部の曲げ部分の節目が、使用される中で周方向（立木の表皮で表現すれば上下方向）に引張り応力を繰り返し受けることとなり、節目部分の破損が心配される。
【特許文献１】特開平０６−２０９８１３号公報
【発明の開示】
【発明が解決しようとする課題】
【０００３】
本発明は、桜皮の天然素材における物理的性質に逆らうことなく、桜皮の性状を最大限に引き出せる肉厚と、内張下地材の最適要件との組合わせによる外郭構成部材により、そのバッグ本体における各外郭構成部材の端部の始末が簡単で、堅牢な伝統工芸の趣のあるバッグを提供することを課題とする。
【課題を解決するための手段】
【０００４】
本発明の請求項１に記載したバッグは、表面材と該表面材に接着された内張下地材とから成る所要の形状寸法の外郭構成部材で形成されて成り、
外郭構成部材は、内張下地材を柔軟性と非伸縮性とを共有する厚さ1mmとし、表面材を厚さ0.4乃至0.2mmに研磨仕上げ節目を横方向に配列された桜皮として成る。
請求項２に記載したバッグは、請求項１に記載したバッグにおいて、表面材としての桜皮は、その節目の陥没部が肉盛り接着状態で漆の塗膜層で被覆されて成る。
【発明の効果】
【０００５】
本発明のバッグは、桜皮に内張下地材を接着したバッグ本体の各外郭構成部材が、桜皮の天然素材としての性状を損うことなく、その各端部が縫合により接合され、柔軟性と堅牢性を有して実用的に有用である上、日本の伝統工芸の素朴な美の趣を提供できる効果がある。
【発明を実施するための最良の形態】
【０００６】
外郭構成部材の表面材としての桜皮は、原皮が研磨仕上げによって0.4乃至0.2mmの厚さまで削ぎ落とされる。また、内張下地材は柔軟性と非伸縮性の皮革、テント地、麻地、合成樹脂の不織布、曲げ技法を応用した杉桧材が選択される。カバンとして形成するときは桜皮の節目を横向き（立木における原皮の状態と同じ向き）にして使用するを良しとする。
【実施例】
【０００７】
本発明のバッグＡを実施例により説明すると、図１に示すように、バッグ本体１には適宜なデザインの提げ手２が設けられ、周部（正面部３ａと背面部３ｂと左右側面部３ｃ）３と底部４とがそれぞれ別工程で製作される。それは図３に示される外郭構成部材５から所要に寸法取りされるもので、この外郭構成部材５は、内張下地材として厚さ1mmの牛皮（このほか、テント地や麻地などの非伸縮性素材）６に、ニカワその他の接着剤７で、厚さ0.4mmに研磨機で仕上げられた表面材としての桜皮８を接着したものから成り、周部３の正面部３ａと背面部３ｂに対して左右の両側面部３ｃがそれぞれ桜皮８の節目９が横向きとなるように縫合され、底部４の内側には適宜に仕上げられた底板（図外）が敷かれ、周部３の表面に図３の仮想線で示すように漆の塗膜層１０が直接被覆されることがある。桜皮８の節目９の陥没部などは肉盛り接着層を形成して圧着強化される。
図２に示したクラッチバッグＢは、前記と同様の周部３と底部４に加えて、提げ手２に代えて外郭構成部材５による被せ蓋１１を設けたもので、被せ蓋１１は飾り金具１２で正面部に開閉自在に締結される。
このほか本発明のバッグは、外郭構成部材５の型体が各種に寸法取りされ、ショルダーバッグ、ハンドバッグ、身装品、小物入れなどが提供される。
【０００８】
このようにして成るバッグＡやクラッチバッグＢなどは、桜皮８の堅牢なしなやかさと、牛皮６の柔軟性とが相応して袋物としての実用性を備えるとともに、日本伝統工芸に裏打された桜皮８の素朴な色彩と光沢の美感を呈するものである。
【産業上の利用可能性】
【０００９】
本発明は、バッグの製造業界及び外郭構成部としての積層素材の加工業界並びに桜皮加工業界の活性化に資する。
【図面の簡単な説明】
【００１０】
【図１】本発明に係るバッグＡの斜視図。
【図２】本発明に係るバッグの他の実施例としてのクラッチバッグＢの斜視図。
【図３】外郭構成部の部分拡大断面図。
【符号の説明】
【００１１】
１：バッグ本体
２：提げ手
３：周部
４：底部
５：外郭構成部材
６：牛皮
７：接着剤
８：桜皮
９：節目
１０：塗膜層
１１：被せ蓋
１２：飾り金具
Ａ：バッグ
Ｂ：クラッチバッグ
【図１】
2006116126.tif 000003
【図２】
2006116126.tif 000004
【図３】
2006116126.tif 000005
(57)【要約】      （修正有）【課題】地震による家具の転倒での人災、物の散乱等を防止し、既存の家具、新設の家具に対し一般人が容易に取り付けられる転倒防止器具を提供する。【解決手段】収納収納家具の転倒を防ぐには家具の揺れに追従する器具が必要である。転倒防止の為、金具の材質に、板バネ、コイルバネ等の反発力を利用し、スライド段部を設ける加工を施す事により転倒防止金具と成り、既存家具、新規家具にバール、ドライバー等の使用で容易に取付けることが出来る。【選択図】図４
2006116127.tif 000002
【特許請求の範囲】
【請求項１】
本発明は地震時にタンス、陳列棚等の収納家具が転倒する事により、人災、物の散乱等が発生し人命の関わる場合も有る。本金具は既存収納家具の柱脚、台輪に取りつける事の出来る転倒防止の金具である。形態は図１に示し、くさび型本体１の材質に反発力の有る平スプリング材を用い、曲げ加工によりくさび型スライド段部２、くさび型低部３、くさび型支持部４、くさび型取付板５を設ける。支持部は荷重を受ける為に補強板が取り付けてある。本体を家具前面に取り付ける事により、震度による家具の揺れ幅の隙間に対しスライド段部２、支持部4はスプリング効果により跳ね上がり、隙間に追従し支持部４に依り収納家具を支えることが出来る。揺れ幅の大きさに追従し既設収納家具の転倒を防止する事の出来る既設家具転倒防止金具である。参考  図１
【請求項２】
本発明は、収納家具の柱脚、台輪に組みこむ形状の、転倒防止金具である。形態は図４に示し外筒６の内部にスライド段部８、取付板１２を溶着し、内筒支持部７にコイルバネ埋め込み穴１６、外れ止め溝、ビス用穴等を施しスライド段部に接する板バネ９を取りつける。組立は内筒支持部７を押し出す為のコイルバネ１７を挿入しフタ１４を取付、コイルバネを収縮し内筒支持部を支持部止めビス１０により固定し組立済と成る。図４に現すスライド段部８の材質は鋼製で下降ピッチ限定となるが、無段ピッチも可能でありスライド段部、材質をゴム板２２に取り替える事により摩擦と板バネ９の食い込みに依り下降幅は任意とする事が出来る。板バネ９においては複数にする事が可能であり、支持強度を上げる事が出来る。支持部止めビス１０の効果は、セット時の固定及び内筒支持部７の下降による外れ防止であり支持部には外れ止め溝１１が施してある。収納家具に取り付ける場合は取付板１２を使い、収納家具にビス止め、溶着等で容易に取りつけることが出来る。本金具は震度による家具の揺れ幅の隙間に対しコイルバネ１７に依り内筒支持部７は押し出され、板バネ９、スライド段部８等の効果により隙間に追従し板バネ９に依り収納家具を支え、転倒を防止する事が出来る。材質に関しては外筒６、内筒支持部７の形状は丸パイプ、丸棒でも良い。揺れ幅の大きさにに追従する組込み家具転倒防止金具である。参考  図４、図５
【発明の詳細な説明】
【技術分野】
【０００１】
本発明は、タンス、陳列棚等の震災事に転倒する事を防止する金具である。既存収納家具には差し込む仕様であり、家具設置前、又は収納家具生産時には家具本体に組み込む事を可能にした、震災事に転倒を防ぐ事の出来る、家具転倒防止金具である。
【背景技術】
【０００２】
収納家具への地震対策は急務である。阪神大震災においては圧死、窒息死によるものが7割を超えており、家具の転倒によるものも原因となっている。コンビニ等の陳列棚は物の散乱が激しい。転倒を防止するには震度別の揺れに対応し前に転倒することを防ぐ必要が有る。既設の収納家具に対応する金具と、新設の場合は生産時に取付けられ、揺れ幅に追従する転倒防止金具が必要である。
【０００３】
これらの改善策として、揺れ幅に追従する為に板バネ、コイルバネ等を用い、既設収納家具には家具を傾け板バネ加工のくさび型転倒防止金具をビスで容易に取付けることが出来る。家具設置前、又は収納家具生産時にはコイルバネを用いた転倒防止金具の取付板を用い、ビス止め、溶着にて容易に取付けることが出来る。
【特許文献１】特開平８―２５６８６１クサビ  特開平８―２８０４７２くさび実新３０２２４２６クサビ
【発明の開示】
【発明が解決しようとする課題】
【０００４】
大地震の度に人災、災害が報道される。収納家具は対策を講じなければ倒れる。転倒防止に家具の前面にパッキンを入れるだけでは外れる場合がある。家具の上端で固定するのは難しくタンス等は数段に分かれている場合が多く尚難しい。既設家具には取付が容易で外れない事が必要である。収納家具の生産事には転倒防止金具を取付けておく必要がある。
【課題を解決するための手段】
【０００５】
「請求項１」の発明は図１、図２に形態を示し、くさび型本体１はセット状態で、くさび型スライド段部２、くさび型低部３、くさび型支持部４、くさび型取付板5の様に曲げ加工を施してあり支持部には補強板が取付けて有る。既設の収納家具を傾け転倒防止金具を差し込みビスで固定する。地震の際に金具は外れることなく板バネの反発力に依り、震度に依る床面との隙間の高さに、くさび型スライド段部２、くさび型支持部４はスプリング効果に依り追従し転倒を防ぐ事が出来る。支持部の起伏は90度を越さない加工を施し、取付板には下がり部分が設けてあり越す事は無い。スライド段部の段ピッチ加工は任意寸法が可能であり、段部を別加工し張り付け、強度を増す事が出来る。
【０００６】
「請求項２」の発明は図４、図５に形態を示し、外筒６にはスライド段部８、取付板１２、ビス穴１３、溶着用穴等が施してある。内筒支持部７にはコイルバネ埋め込み穴１６、板バネ９、外れ止溝１１等が施してある。コイルバネ埋め込み穴にコイルバネ１７を挿入し組立てることにより、内筒支持部は、コイルバネ１７の反発とスライド段部８の切り込みに板バネ９が作用する事により、震度に依る床面との隙間の高さに追従し転倒を防ぐ事が出来る。スライド幅は無段ピッチも可能であり、スライド段部材質をゴム板２２に替える事により摩擦と板バネ９の食い込みに依り下降幅は任意とする事が出来る。板バネ９の強度を増す場合、板バネ９を複数に出来る。図４に有る角パイプの場合、板バネ９、スライド段部８は二面加えることができる。材質に関しては外筒６、内筒支持部７の形状は丸パイプ、丸棒でも良い。
【図面の簡単な説明】
【０００７】
【図１】既設家具転倒防止金具全体図
【図２】既設家具転倒防止金具立面図
【図３】組込み家具転倒防止金具全体立面図
【図４】組込み家具転倒防止金具セット時断面図
【図５】組込み家具転倒防止金具最大移動時断面図
【図６】組込み家具転倒防止金具上部断面図
【符号の説明】
【０００８】
１  くさび型本体
２  くさび型スライド段部
３  くさび型低部
４  くさび型支持部
５  くさび型取付板
６  外筒
７  内筒支持部
８  スライド段部
９  板バネ
１０  支持部止めビス
１１  外れ止め溝
１２  取付板
１３ビス穴
１４  フタ
１５フタ止めビス
１６コイルバネ埋め込み穴
１７コイルバネ
１８床面
１９段部溶着
２０収納家具
２１ビス
２２ゴム板
【図１】
2006116127.tif 000003
【図２】
2006116127.tif 000004
【図３】
2006116127.tif 000005
【図４】
2006116127.tif 000006
【図５】
2006116127.tif 000007
【図６】
2006116127.tif 000008
(57)【要約】      （修正有）【課題】家主と借主の信頼関係の煩わしさを無くし、合理的、且つ、少資金で家賃収入経営を保てる。【解決手段】賃借権者に賃借権登記申請を持分割合で持たす事により安全を行い尚且つ専門家管理会社により変動のない安全な家賃収入を得る事ができるものである。【選択図】  図１
2006202312.tif 000002
【特許請求の範囲】
【請求項１】
賃貸借設定及び転貸委託契約に基づいた専門家分野を介した安全なる利益の追求のモデルケースである。
【発明の詳細な説明】
【技術分野】
【０００１】  本発明は、賃貸借設定及び転貸委託契約に基づいた専門家分野を介した安全なる利益の追求のモデルケースである。
【背景技術】
【０００２】  従来の家主と借主の信頼関係のわずらわしさを無くし、合理的、且つ、少資金で家賃収入経営を保てる。
【発明の開示】
【発明が解決しようとする課題】
【０００３】  従来の家主と、借主の関係では家賃不払い、家屋の修繕等で難しい民事紛争が有る欠点等を、安定した収益の確保をできるようにすることである。
【課題を解決するための手段】
【０００４】  本ビジネスモデルで、従来の家主経営に資金協力者及び、強制管理会社との委託により上記の課題を解決できるものである。
【発明の効果】
【０００５】  本ビジネスモデルは、賃借権者の都合によりいつでも自由に解約でき、又、解約した時は従前の所有者と借主との契約に戻り、家賃収入を得ることができる。尚且つ、キープ方式を使用する事により専門家による家主、経営指導、賃貸人管理及び、法的権利義務等の指導管理する事により双方の信頼関係を保つ事ができる。
【発明を実施するための資料の形態】
【０００６】  本ビジネスモデルにより、多くの人が小額の資本で家主経営ができる。又、専門家の管理により貸主は安定した家賃収入を得ることができ、借主は安心した環境で生活ができる。且つ、従来のトラブル、法律問題等もスムーズな解決ができ、賃借権者・賃借人が安心を保てる。
【実施例】
【０００７】  複数の賃借権者により、所有者に保証金を一括払いで支払い、２年間自由に少額家賃で賃借を行ない家賃収入を受けとる。賃借権者には、賃借権利登記を持分割合で持たす事により所有者との保全を取る。又、専門家である管理会社の一括借り上げによる、家賃保証により賃借権者は、安全に安心して家賃収入を上げていく事ができ、管理会社は、賃借人の部屋付修繕等の管理を行ないつつ、家賃収入を上げていくビジネスモデルである。
【図面の簡単な説明】
【０００８】
【図１】  所有者、賃借権者、管理会社、賃借人それぞれの相関関係を示した概観図である。
【図１】
2006202312.tif 000003
(57)【要約】      （修正有）【課題】スタンド型照明器具は場所移動できるが、デザイン変更ができない。また天井部コンセントは器具交換が面倒であり、場所変更が容易ではない。照明器具や室内装飾の変更を楽しむことが難しい。また、天井部コンセントは器具交換が面倒であり、場所変更が容易ではない。高さを変更可能な電気器具を吊り下げることが出来るスタンド型電源延長コードを提供する。【解決手段】コンセントプラグ６を有するベース台１と、このベース台に垂直に立てた伸縮可能で任意の長さで固定できる筒状の支柱２ａ，２ｂ，２ｃと、支柱上部に取付たコンセント受け口４を設けた器具吊り下げ部３からなるスタンド型電源延長コードである。【選択図】図１
2006202715.tif 000002
【特許請求の範囲】
【請求項１】
コンセントプラグを有するベース台と、このベース台に垂直に立てた伸縮可能で任意の長さで固定できる筒状の支柱と、支柱上部に取り付けたコンセント受け口を設けた器具吊り下げ部からなるスタンド型電源延長コード。
【請求項２】
ベース台または支柱部に器具吊り下げ部のコンセントのオン、オフスイッチを設けたことを特徴とする請求項１記載のスタンド型電源延長コード。
【請求項３】
ベース台にキャスターを設けたことを特徴とする請求項１又は２記載のスタンド型電源延長コード。
【発明の詳細な説明】
【技術分野】
【０００１】  本発明は、高さを変更可能な電気器具を吊り下げることが出来るスタンド型電源延長コードに関する。
【背景技術】
【０００２】  従来のスタンド型の照明器具はスタンドと一体化しているため、照明器具の付け替えができなかった。また、天井部にある引っ掛けコンセントは照明器具を付け替えることできるが、設置場所を変えたり、新設するには天井に穴を開けたり、張り替えたりと工事が必要で大掛かりになる。器具の付け替えも脚立等が必要で危険がある。このように照明器具や室内装飾の変更を楽しむことが難しかった。
【発明の開示】
【発明が解決しようとする課題】
【０００３】  以上に述べたように、スタンド型照明器具は場所移動できるが、デザイン変更ができない。また天井部コンセントは器具交換が面倒であり、場所変更が容易ではない。本発明は、安全に器具交換でき、設置場所の変更容易な、可変長スタンド型電源延長コードを提供することを目的とする。
【課題を解決するための手段】
【０００４】  本発明は、上記課題を解決するために、請求項１はコンセントプラグを有するベース台と、このベース台に垂直に立てた伸縮可能で任意の長さで固定できる筒状の支柱と、支柱上部に取り付けたコンセント受け口を設けた器具吊り下げ部からなるスタンド型電源延長コードである。支柱の伸縮によって高さを変更可能なので、支柱部を短くした状態では器具交換は容易である。また任意の高さで器具を使用できる。【０００５】  請求項２は、ベース台または支柱部に器具吊り下げ部のコンセントのオン、オフのスイッチを設けたことを特徴とする請求項１記載のスタンド型電源延長コードである。コンセントプラグを引き抜くことなく器具のオン、オフができる。【０００６】  請求項３は、ベース台にキャスターを設けたことを特徴とする請求項１又は２記載のスタンド型電源延長コードである。キャスターを設けることでスタンドの移動の際の労力が少なくなる。
【発明の効果】
【０００７】  本発明を用いることで、部屋内の任意の場所に照明器具等を設置できる。器具の取り付けや交換は支柱部を短くした状態で行えば安全である。使用する器具は照明器具以外に送風ファン等を吊り下げることも可能である。【０００８】  より便利に使用するために、ベース台または支柱部にスイッチを設けるとコンセントプラグを抜くことなく吊り下げ部の器具のオン・オフができる。キャスターをベース台下部に設けるとスタンドの移動の際の労力が少なくなる。
【発明を実施するための最良の形態】
【０００９】  以下、図に基づいて本発明を説明する。以下、図１から図４の共通部分である。
ベース台１は、上部に設置する支柱部２ａ、２ｂや器具吊り下げ部３を倒れないように支えきれる大きさを確保する。形状は問わない、内部は支柱部まで電源ケーブルを通し、コンセントプラグを外部へと出す。
支柱部は太さの違う２本の筒を用いて、滑らせることで可変長の支柱を構成する。垂直に立てた支柱部２ａの内側に支柱部２ｂを通し、さらに支柱部２ｂの内側に電源ケーブル７を通す。支柱部２ａの上端よりに１箇所以上の支柱の長さ固定ボルト２ｃを通す穴を設け、支柱部２ｂには、長さ調節用ボルト穴を数センチメートル毎に設ける。
器具吊り下げ部３は、支柱部２ｂの上部に差し込む形で用いる。内部は筒状として電源ケーブル７を通す。器具吊り下げ部３の上部にコンセント受け口４とフック５を設け、任意の器具を吊り下げ可能とする。【００１０】  以上、各図の共通部分である。図１は請求項１における全体立面図である。
図２は電気器具例１０を吊り下げた使用例を示す。
図３は、請求項２におけるスイッチ８を支柱部２ｂに取り付けたものである。
図４は、請求項３におけるキャスター９をベース台１に取り付けたものである。
【図面の簡単な説明】
【００１１】
【図１】  請求項１における本発明の立面図
【図２】  本発明の使用例の立面図
【図３】  請求項２における本発明の立面図、スイッチ追加
【図４】  請求項３における本発明の立面図、キャスター追加
【符号の説明】
【００１２】  １  ベース台
２ａ  支柱部外側
２ｂ  支柱部内側
２ｃ  支柱部長さ固定ボルト
３  器具吊り下げ部
４  コンセント受け口
５  フック
６  コンセントプラグ
７  電源ケーブル
８  スイッチ
９  キャスター
１０  電気器具例
【図１】
2006202715.tif 000003
【図２】
2006202715.tif 000004
【図３】
2006202715.tif 000005
【図４】
2006202715.tif 000006
(57)【要約】【課題】急な停電などの暗闇では懐中電灯は手探りで探さなければならず、発見するまでにかなりの困難を強いられてきた。また、暗がりでハンドバッグに入れた小型の懐中電灯は探しづらかった。【解決手段】ランプを最小限の明るさで常時点灯する様にしておけば、暗闇にて懐中電灯の場所がよくわかり、ハンドバッグ内で探しやすい。【選択図】図２
2006202711.tif 000002
【特許請求の範囲】
【請求項１】
高抵抗値の抵抗器と高輝度ＬＥＤを直列に繋ぎ常時点灯させる回路を持つことを特徴とする懐中電灯。
【請求項２】
前記高抵抗値の抵抗器の代わりに、高抵抗値の可変抵抗器を用いることを特徴とする請求項１記載の懐中電灯。
【発明の詳細な説明】
【技術分野】
【０００１】  この発明は、懐中電灯の電気回路に関する。
【背景技術】
【０００２】  図１は従来の懐中電灯の回路であり、図２に示すように、高抵抗値の抵抗器を追加したものである。電池の電圧いかんによれば、低抵抗値の抵抗器は不要な場合もある。
【発明の開示】
【発明が解決しようとする課題】
【０００３】しかしながら、以上の技術によれば、例えば突然の停電においてせっかくの懐中電灯を探す事が困難だったりした。
そこで、この発明は、暗い所で容易に探す事の出来る懐中電灯を提供することを課題とする。
【課題を解決するための手段】
【０００４】  以上の課題を解決するために、第一発明は、高抵抗値の抵抗器を追加したことを特徴とする懐中電灯である。
また、第二発明は、高抵抗値の抵抗器の代わりに可変式の高抵抗値の抵抗器を用いたことを特徴とする懐中電灯である。
【発明の効果】
【０００５】  第一発明、または第二発明によれば、高輝度ＬＥＤが常時点灯しているので暗い所に懐中電灯が有っても探す事が容易である。又、高抵抗値により電池の消耗は少ない。
【発明を実施するための最良の形態】
【０００６】  この発明の一実施形態を、図２に示す。
高輝度ＬＥＤ１と電池２と低抵抗値の抵抗器３と高抵抗値の抵抗器５は直列につながれている。高抵抗の抵抗器５の両端にはスイッチ４が並列につながれている。【０００７】「実施形態の効果」
この実施形態によれば、高抵抗値の抵抗器５の働きで、スイッチ４をＯＮにしていなくても高輝度ＬＥＤ１は暗く点灯している。したがって、暗い所に懐中電灯が有っても探す事が容易である。【０００８】「他の実施形態」
図２の実施形態では、高抵抗値の抵抗器５は抵抗値の変えられない固定抵抗であったが、図３の他の実施形態では、高抵抗値の抵抗器５は可変式のものでも良い。
【産業上の利用可能性】
【０００＊】
【図面の簡単な説明】
【０００９】
【図１】従来技術を示す斜視図である。
【図２】この発明の一実施形態を示す斜視図である。
【図３】この発明の一実施形態を示す斜視図である。
【符号の説明】
【００１０】１  高輝度ＬＥＤ        ２  電池              ３  低抵抗値の抵抗器
４  スイッチ            ５  高抵抗値の抵抗器  ６  高抵抗値の可変抵抗器
【図１】
2006202711.tif 000003
【図２】
2006202711.tif 000004
【図３】
2006202711.tif 000005
(57)【要約】【課題】１つの開閉器で複数の負荷に電気を分配供給でき、分電盤を大幅に小型化できるようにする。【解決手段】開閉器１は、ケース２の上側面方向から単相３線式配線３が接続される３個の電源側端子６が設けられ、ケース２の右側面方向から１００Ｖ単相２線式の負荷配線５が接続される８個の負荷側端子６が設けられ、負荷が４回路接続できるようになっている。また、前面に電路を開閉する１つの操作ハンドル８がケース２から突出して設けられ、操作ハンドル８を回動操作することにより電路を開閉するようになっている。【選択図】図１
2006202547.tif 000002
【特許請求の範囲】
【請求項１】
単相３線式配線が接続される１組の電源側端子と、負荷配線が接続される複数組の負荷側端子と、電路を開閉する１つの操作ハンドルとを備えたことを特徴とする開閉器。
【発明の詳細な説明】
【技術分野】
【０００１】
本発明は、電路を開閉するための開閉器に関する。
【背景技術】
【０００２】
一般的にパチンコ店では複数のパチンコ台で島が構成され、主分電盤からこの島に設置された島用分電盤を経由して各パチンコ台や両替機などの負荷に電気を供給するようになっている。そして島用分電盤は、主幹ブレーカと、複数の分岐ブレーカと、これらを電気的に接続する導電部材とをキャビネットに収納して構成している（特許文献１，特許文献２参照。）。
【０００３】
【特許文献１】特開平９−１８２２２０号公報（第１，１０図）
【特許文献２】特開平１０−７０８０３号公報（第１−３図）
【発明の開示】
【発明が解決しようとする課題】
【０００４】
このように、島用分電盤は主幹ブレーカと複数の分岐ブレーカと導電部材などの複数の部材を収納しているためにどうしても外形寸法が大きくなり、近年の負荷機器の増加に応じて分岐ブレーカの必要個数も増加しているため、島の下部や上部などの狭いスペースへの配置が困難になってきている。また、島用分電盤に利用される主幹ブレーカや分岐ブレーカはコストが高いので、コストを低減するために主幹ブレーカに代わって開閉器を使用し、分岐ブレーカに代わって端子台を使用して、島用分電盤では電路の開閉だけを行い、電路の保護は主分電盤で行うようにすることがある。しかしながら、この場合でも、部材があまり縮小できないのでやはり外形寸法が大きくなり、狭いスペースへの配置が困難であった。
【課題を解決するための手段】
【０００５】
本発明は、単相３線式配線が接続される１組の電源側端子と、負荷配線が接続される複数組の負荷側端子と、電路を開閉する１つの操作ハンドルとを備えたことを特徴とする。
【発明の効果】
【０００６】
本発明によれば、１つの開閉器で複数の負荷に電気を分配供給でき、分電盤を大幅に小型化することができるという効果がある。
【発明を実施するための最良の形態】
【０００７】
ケースの一側面方向から単相３線式配線が接続される３個の電源側端子を設け、他の一側面方向から１００Ｖ単相２線式の負荷配線が接続される複数個の負荷側端子を設け、前面に電路を開閉する１つの操作ハンドルをケースから突出して設け、操作ハンドルの操作により電路を開閉する。
【実施例１】
【０００８】
本発明に係る開閉器の実施例１を図１〜図３の添付図面に基づいて説明する。
【０００９】
開閉器１は箱状に形成された樹脂製のケース２の一側面方向から単相３線式配線３が接続される３個の電源側端子４が設けられ、他の一側面方向から１００Ｖ単相２線式の負荷配線５が接続される８個の負荷側端子６が設けられ、前面に電路７を開閉する１つの操作ハンドル８がケース２から突出して設けられている。電源側端子４及び負荷側端子６はねじ式の端子構造であり、電源側端子のうち中央のＮ相の電源側端子４は２個の端子ネジで配線を固定するようになっている。
【００１０】
負荷側端子６は、図１の上側から順にＬ２相、Ｎ相、Ｎ相、Ｌ１相と設けられ、各相は負荷配線５の接続方向に対して階段状に段差を有して２個ずつ設けられ、各相間は隔壁２ａによって絶縁されている。そして、Ｌ２相とＮ相、Ｎ相とＬ１相の同一段の負荷側端子６を１組として最大４回路の負荷回路が接続できるようになっている。
【００１１】
負荷側端子６の各相は電源側端子４の各相とケース２の内部で電気的に接続され、各相には開閉接点９が設けられて操作ハンドル８の操作により電路７を開閉できるようになっている。
【００１２】
開閉器１の取り付けは、背面を被取付面に当接させて前面の左上と右下に形成された取付孔２ｂに取付ネジを挿通させて被取付面に螺着することにより行う。
【００１３】
こうして形成された開閉器１はパチンコ店の島用分電盤として好適に用いられる。この場合、開閉器１は図示しないがキャビネットに収納して島の上部や下部などの狭いスペースに取り付けられる。開閉器１は最大４回路しか接続できないので島の複数箇所に島用分電盤１０を設置することで全ての負荷に対応する。そして、主分電盤１１から導出された単相３線式配線３を島用分電盤１０のキャビネットに引き込み、開閉器１の電源側端子４に挿入して端子ネジを締め付けて接続する。また、パチンコ台１２などの負荷配線５も同様に島用分電盤１０のキャビネットに引き込み、開閉器１の負荷側端子６に挿入して端子ネジを締め付けて接続する。開閉器１は操作ハンドル８を上下方向に回動操作することにより開閉接点９が開閉するので複数の負荷のオン・オフを行うことができる。
【００１４】
このように開閉器１は従来の島用分電盤と比較して端子台と導電部材の収納スペース分だけ小さくできるので大幅に小型化が可能となる。また、端子台と導電部材がいらないし、開閉器を収納するキャビネットも小さくて良いのでコストを低減することができる。
【００１５】
尚、本実施例において開閉器をパチンコ店の島用分電盤として用いたが、別の用途に使用しても勿論良い。また、負荷側端子の個数や配置や形状について限定はなく、例えば、図４に示すように負荷側端子の個数を増やしても良いし、図５に示すようにケースの他の側面に設けても良いし、図６に示すようにケースの２側面以上に亘って設けても良いし、本実施例ではねじ端子であるがねじ無し端子でも良いし、２段に形成しているが何段であっても良い。また、開閉器に過電流保護機能や漏電保護機能を備えて回路遮断器や漏電遮断器としても良く、本発明の趣旨を逸脱しない範囲において適宜変更可能である。
【図面の簡単な説明】
【００１６】
【図１】本発明に係る開閉器を示し、（ａ）は正面図、（ｂ）は右側面図である。
【図２】本発明に係る開閉器の回路図である。
【図３】本発明に係る開閉器を用いた配電図である。
【図４】本発明に係る開閉器の変形実施例を示す正面図である。
【図５】本発明に係る開閉器の変形実施例を示す正面図である。
【図６】本発明に係る開閉器の変形実施例を示す正面図である。
【符号の説明】
【００１７】
１    開閉器
２    ケース
３    単相３線式配線
４    電源側端子
５    負荷配線
６    負荷側端子
８    操作ハンドル
【図１】
2006202547.tif 000003
【図２】
2006202547.tif 000004
【図３】
2006202547.tif 000005
【図４】
2006202547.tif 000006
【図５】
2006202547.tif 000007
【図６】
2006202547.tif 000008
(57)【要約】  【課題】  一つのケーブルを用いて電源供給、信号伝達、放熱を行うようにすることで、回路装置の構成が簡易になると共に回路装置の設置場所の自由度を増して、その設置場所の制約も少なくすることができる同軸ケーブルを提供する。  【解決手段】  本発明の同軸ケーブルは、ヒートパイプからなる中心線材と、該中心線材を覆い電気的及び熱的に前記中心線材を絶縁する絶縁体と、該絶縁体を被覆する導電体とを備えてなる。  【選択図】  図１
2006202664.tif 000002
【特許請求の範囲】
【請求項１】
ヒートパイプからなる中心線材と、該中心線材を覆い電気的及び熱的に前記中心線材を絶縁する絶縁体と、該絶縁体を被覆する導電体と
を備えてなる同軸ケーブル。
【発明の詳細な説明】
【技術分野】
【０００１】
本発明は、電力、信号、排熱を１本の統合された線材により伝達できるようにした同軸ケーブルに関するものである。
【背景技術】
【０００２】
図３は温度管理される従来の一般の電子機器を示す図である。図３において１０Ａは装置１０内に設けられた装置内回路、１０Ｂは装置１０の外に設けられた装置外回路である。一般に、装置外部回路１０Ｂは発熱性を有する回路が設けられ、装置内回路１０Ａには発熱性の低い、センサなどの機器が設けられる。そして、装置内回路１０Ａと装置外回路１０Ｂとの間には、電力を供給する電源ケーブル１１、装置の入出力信号線１２、消費された熱を排出する放熱ダクト１３が設けられる。このように、温度管理の厳しい装置では、回路装置部品のみならず、発熱対策に対する部品を備える必要がある。
【０００３】
特許文献での一例としては、ヒートパイプのみを実装するヒートパイプパネルを、機器パネルとは別に設け、また機器、ハーネスを機器パネル内面上に、導波管、同軸ケーブルを機器パネルの外面上に実装するようにした技術が知られる（例えば特許文献１参照）。
【特許文献１】特開平０７−０１００９７号公報
【発明の開示】
【発明が解決しようとする課題】
【０００４】
従来の技術では、上述したように、その熱対策のため、装置内回路と装置外回路を接続するため、電力を供給する電源ケーブル１１、装置の入出力信号線１２、消費された熱を排出する放熱ダクト１３を備えるが、これら電源ケーブルや信号線や放熱ダクトの施設が煩雑となると共に、信号線等が長くなり、ノイズの影響、伝送速度などの制約を受け易くなる。また、図示しないが、保護回路を設けたりする必要が生じ、さらに装置内に置かれた回路部分では、熱遮蔽板で覆うなど多くの部品を必要とし、装置の全体構造が大掛かりになると共にコスト高になるという問題がある。
【０００５】
本発明は上述した問題点を解決するためになされたものであり、一つのケーブルを用いて電源供給、信号伝達、放熱を行うようにすることで、回路装置の構成が簡易になると共に、回路装置の設置場所の自由度を増して、その設置場所の制約も少なくすることができる同軸ケーブルを提供することを目的とする。
【課題を解決するための手段】
【０００６】
上述した課題を解決するため、本発明の同軸ケーブルは、ヒートパイプからなる中心線材と、該中心線材を覆い電気的及び熱的に前記中心線材を絶縁する絶縁体と、該絶縁体を被覆する導電体とを備えてなる。
【発明の効果】
【０００７】
以上に詳述したように本発明によれば、回路装置に接続される１本の同軸ケーブルで電源供給、信号伝達、放熱を行うことができるので、回路装置の小型化が図れると共に設置場所の制約を軽減でき、さらに部品点数を削減できて回路装置の低コスト化を図ることができる。また、大電力の伝送路に適用することにより、伝送路に冷却機能をもたらすこともできる。
【発明を実施するための最良の形態】
【０００８】
以下、本発明の実施の形態について図面を参照しつつ説明する。
図１は本発明の実施の形態における同軸ケーブルを示す図、図２は図３に対応する電子機器の構成を示す図である。
これら図において、１は一つの同軸ケーブルであり、装置１０内部に設けられた装置内回路２と装置外回路３を接続している。
【０００９】
同軸ケーブル１はヒートパイプからなる中心線材１ａと、該中心線材１ａを覆い電気的及び熱的に中心線材１ａを絶縁する絶縁体１ｂと、該絶縁体１ｂを被覆する導電体１ｃとの少なくとも３要素から構成される。
【００１０】
中心線材１ａと導電体１ｃとは、信号線を構成し、それぞれが信号線に適宜接続されている。例えば中心線材１ａは電源供給のための+側導体となり、デジタル信号若しくはＲＦ信号を重畳できる。絶縁体１ｂは熱伝送ロスを抑えるための断熱性を有する電機絶縁性で構成される。導電体１ｃは絶縁体１ｂを保護すると共に導電性を有するパイプ形状をなしている。また中心線材１ａをなすヒートパイプはその一端が後述するように放熱フィンに接続される。
【００１１】
装置内回路２には、回路等からなる発熱素子２ａ、発熱素子２ａとヒートパイプ（中心線材１ａ）間に固定され、熱を伝えるための熱伝導性の高い材料で作成された熱伝導素子２ｂと、電源を受け取るための電源端子Ｖｃｃと、信号を送受するためのコンデンサで直流成分を阻止された信号線端子Ｓとを備え、電源端子Ｖｃｃと信号線端子Ｓそれぞれに同軸ケーブル１の中心線材１ａ、導電体１ｃのそれぞれが接続されている。そして同軸ケーブル１のヒートパイプ（中心線材１ａ）が熱伝導素子２ｂに接続され、発熱素子２ａからの熱を後述する放熱フィンに伝達する。
【００１２】
回路装置３には、上述した放熱フィン３ａが設けられている。放熱フィン３ａは冷媒（空気、水）と熱交換を行うもので、ヒートパイプの一端に熱伝導性が良く取り付けられている。その信号線Ｓ´及び電源端子Ｖｃｃ´に同軸ケーブル１の中心線材１ａ、導電体１ｃの他端が装置内回路２の場合と同様に接続されている。
【００１３】
以上のように、本発明の実施の形態によれば、回路装置に接続される１本の同軸ケーブルで電源供給、信号伝達、放熱を行うことができるので、回路装置の小型化が図れると共に設置場所の制約を軽減でき、さらに部品点数を削減できて回路装置の低コスト化を図ることができる。また、大電力の伝送路に適用することにより、伝送路に冷却機能をもたらすこともできる。
【図面の簡単な説明】
【００１４】
【図１】本発明の実施の形態による同軸ケーブルを示す図である。
【図２】本発明の実施の形態による電子機器の構成を示す図である。
【図３】従来の電子機器の構成を示す図である。
【符号の説明】
【００１５】
１  同軸ケーブル、１ａ  中心線材（ヒートパイプ）、１ｂ  絶縁体、１ｃ  導体、２  装置内回路、３  装置外回路、３ａ  放熱フィン、１０  装置。
【図１】
2006202664.tif 000003
【図２】
2006202664.tif 000004
【図３】
2006202664.tif 000005
(57)【要約】【課題】  従来は、非線形方程式の解を構成するための数値データが著しく大量である場合に数値データを外部記憶装置に保存しておくことは困難であった。そのために、ある非線形方程式の解を自己無撞着計算により求めるとき、たとえ多数の項を共有する別の非線形方程式が既に解かれていたとしてもその数値データを新たな計算に利用して収束するまでの反復回数を減らすこともできなかった。【解決手段】  大容量化が著しい外部記憶装置に非線形方程式の解を構成するための数値データを保存し、新たな自己無撞着計算における初期値を構成するために利用することで収束するまでの反復回数を減らすことが実現できた。【選択図】  図１
2006202238.tif 000002
【特許請求の範囲】
【請求項１】
外部記憶装置に保存した加法的な非線形方程式の解を、該非線形方程式との間に多数の項を共有する別の加法的な非線形方程式の自己無撞着解法の初期値に利用する数値計算方法。
【発明の詳細な説明】
【技術分野】
【０００１】  本発明は、計算機を用いた非線形方程式の数値解法に関する。
【背景技術】
【０００２】  本発明に直接関連する先行技術は特開平９−２９７７５１「自己無頓着場法による分子軌道の計算方法」であり、分子軌道を自己無撞着法を用いた分子軌道法により高速計算する方法である。この発明においては結晶の対称性を考慮することで必要なサンプリングポイントを減少させ計算の高速化を計っている。
【特許文献１】特開平９−２９７７５１号公報
【発明の開示】
【発明が解決しようとする課題】
【０００３】  従来は、非線形方程式の解を構成するための数値データが著しく大量である場合に数値データを外部記憶装置に保存しておくことは困難であった。そのために、ある非線形方程式の解を自己無撞着計算により求めるとき、たとえ多数の項を共有する別の非線形方程式が既に解かれていたとしてもその数値データを新たな計算に利用して収束するまでの反復回数を減らすことができなかった。
【課題を解決するための手段】
【０００４】  大容量化が著しい外部記憶装置に非線形方程式の解を構成するための数値データを保存し、新たな自己無撞着計算における初期値を構成するために利用することで収束するまでの反復回数を減らすことを可能にする方法を提供するものである。
【発明の効果】
【０００５】  本発明は多数の項を共有しているような複数の非線形方程式の自己無撞着法による数値求解に利用された場合、その所要時間が短縮される。
【発明を実施するための最良の形態】
【０００６】  本発明が原理的に著しく効果を発揮する実施例を数式を用いて示す。
【数１】
０＝Ｆ（Ψ）
【数２】
０＝Ｇ（Ψ）
【数３】
０＝Ｆ（Ψ）＝Σｋ＝１Ｎｆｋ（Ψ）
【数４】
ｆｋ（Ψ＋Φ）＝ｆｋ（Ψ）＋ｆｋ（Φ），ｋ＝１，２，．．．，Ｎ
【数５】
Ψ０＝Σｋ＝１Ｎωｋ
【数６】
ｆｋ（ω１）＝０，１≠ｋ，ｋ＝１，２，．．．，Ｎ，１＝１，２，．．．，Ｎ
【数７】
Σｋ＝１Ｎｆｋ（ωｋ）＝０
【数８】
０＝Ｇ（Ψ）＝Σｋ＝１Ｍｆｋ（Ψ）＋Σｋ＝Ｍ＋１Ｐｇｋ（Ψ）
【数９】
ｇｋ（Ψ＋Φ）＝ｇｋ（Ψ）＋ｇｋ（Φ），ｋ＝Ｍ＋１，２，．．．，Ｐ
【数１０】
ｇｋ（ω１）＝０，１≠ｋ，ｋ＝Ｍ＋１，２，．．．，Ｐ，１＝１，２，．．．，Ｍ
【数１１】
Ψ１＝Σｋ＝１Ｍωｋ＋Ψ２
【数１２】
０＝Ｇ（Ψ１）＝Σｋ＝１Ｍｆｋ（Ψ１）＋Σｋ＝Ｍ＋１Ｐｇｋ（Ψ１）
【数１３】
０＝Ｇ（Ψ１）＝Σｋ＝１Ｍｆｋ（Ψ２）＋Σｋ＝Ｍ＋１Ｐｇｋ（Ψ２）−Σｋ＝Ｍ＋１Ｎｆｋ（ωｋ）
【０００７】  その解が既知の非線形方程式を数１で表す。
【０００８】  数１においてＦは汎関数であり、Ψは関数である。
【０００９】  その解が未知の非線形方程式を数２で表す。
【００１０】  数２においてＧは汎関数であり、Ψは関数である。
【００１１】  数１における汎関数ＦがＮ個（Ｎ＞０）の項に分解されることを数３で表す。
【００１２】  数３においてｆｋ（ｋ＝１，２，．．．，Ｎ）は汎関数である。
【００１３】  数３における汎関数ｆｋ（ｋ＝１，２，．．．，Ｎ）が全て加法的な性質を持つことを数４で表す。
【００１４】  数４においてΦは関数である。
【００１５】  数１における解である関数ΨｏがＮ個の関数ωｋ（ｋ＝１，２，．．．，Ｎ）の和で表されることを数５で表す。
【００１６】  本発明においては数５のように非線形方程式の解を有限個の要素の和で表されることが重要となる。
【００１７】  数５におけるＮ個の関数ωｋ（ｋ＝１，２，．．．，Ｎ）が外部記憶装置に保存される要素となる。
【００１８】  数５におけるＮ個の関数ωｋ（ｋ＝１，２，．．．，Ｎ）が汎関数ｆｋに対して持つべき性質（その１）を数６で表す。
【００１９】  数５におけるＮ個の関数ωｋ（ｋ＝１，２，．．．，Ｎ）が汎関数ｆｋに対して持つべき性質（その２）を数７で表す。
【００２０】  数２における汎関数ＧがＰ個（Ｐ＞０）の項に分解されることを数８で表す。
【００２１】  数８においてｆｋ（ｋ＝１，２，．．．，Ｍ）およびｇｋ（ｋ＝Ｍ＋１，Ｍ＋２，．．．，Ｐ）は汎関数である。
【００２２】数８における汎関数ｆｋ（ｋ＝１，２，．．．，Ｍ）は数２におけるＭ個の汎関数と共通である。
【００２３】  数８における汎関数ｇｋ（ｋ＝Ｍ＋１，Ｍ＋２，．．．，Ｐ）が全て加法的な性質を持つことを数９で表す。
【００２４】  数５におけるＮ個の関数ωｋ（ｋ＝１，２，．．．，Ｎ）のうち最初のＭ個のものが汎関数ｇｋに対して持つべき性質（その３）を数１０で表す。
【００２５】  数２の非線形方程式を自己無撞着法により解くために設定する初期関数Ψ１をＭ個の関数ωｋ（ｋ＝１，２，．．．，Ｍ）および適当な方法で選ばれた関数Ψ２から構成されることを数１１で表す。
【００２６】  数１１における関数Ψ１を数８に代入することを数１２で表す。
【００２７】  数１２において数６、数７および数８を代入して得られる方程式を数１３で表す。
【００２８】  以上の手続きにより数２を解くことは数１３を解くことに帰着される。
【００２９】  数１３の左辺は（Ｎ−Ｍ）個の関数ωｋおよびΨ２に関する汎関数となっている。
【００３０】  数１１より関数Ψ２の次元は関数Ψ１の次元よりも減少している。
【００３１】  数１３において（Ｎ−Ｍ）個の関数ωｋは既知であるから、関数Ψ２に関するこの非線形方程式を解くことは数２を解くことよりも容易となる。
【００３２】  ωｋ（ｋ＝１，２，．．．，Ｎ）の持つべき性質その１、その２およびその３として提示された３つの性質は全てが厳密に成立している必要はなく、近似的に成立している場合であっても本発明の効果は発揮される。
【００３３】  本発明が効果を発揮する非線形方程式の分類としてはハミルトン系の非線形方程式が予想されている。
【００３４】  ハミルトン系の非線形方程式には分子軌道法におけるシュレディンガー方程式などが包摂され、広範な応用が可能となる。
【図面の簡単な説明】
【００３５】
【図１】本発明の実施例を計算機において実行するためのフローチャートである。
【符号の説明】
【００３６】１０１  入力データ１
１０２  入力データ２
１０３  要素分解ルーチン
１０４  自己撞着計算ルーチン
１０５  外部記憶
１０６  解析データ読み込みルーチン
【図１】
2006202238.tif 000003